(57)【要約】 【課題】夜間や雨天時などの視野条件が悪い場合においても、表示面の視認性に優れた温度応動表示装置を提供することを目的とする。【解決手段】  複数の表示を切り替え表示自在な切り替え表示手段２と、形状記憶合金をもって切り替え表示手段２に対して切り替え駆動力を付与する温度応動駆動機構１００とを有する温度応動表示装置１において、複数の表示が切り替わったことを検出する切り替わり検出手段３と、複数の表示を照らす照明手段４と、切り替わり検出手段３からの情報に応じて照明手段４を点灯／消灯するように制御する制御手段５とを備え、切り替わり検出手段３によって、切り替え表示手段２が所定の表示に切り替わったことを検出すると、照明手段４を点灯するように制御することを特徴とする。【選択図】  図１
2014153508.tif 000002
【特許請求の範囲】
【請求項１】
複数の表示を切り替え表示自在な切り替え表示手段と、形状記憶合金をもって前記切り替え表示手段に対して切り替え駆動力を付与する温度応動駆動機構とを有する温度応動表示装置において、
前記複数の表示が切り替わったことを検出する切り替わり検出手段と、
前記複数の表示を照らす照明手段と、
前記切り替わり検出手段からの情報に応じて前記照明手段を点灯／消灯するように制御する制御手段とを備え、
前記切り替わり検出手段によって、前記切り替え表示手段が所定の表示に切り替わったことを検出すると、前記照明手段を点灯するように制御することを特徴とする温度応動表示装置。
【請求項２】
設置場所の照度を検出する照度検出手段を備え、
所定の表示とされている状態において、前記設置場所の照度に応じて、前記制御手段によって前記照明手段の照明を消灯するように制御することを特徴とする請求項１に記載の温度応動表示装置。
【請求項３】
太陽光発電式の蓄電池からなる電源を備えていることを特徴とする請求項１または請求項２に記載の温度応動表示装置。
【発明の詳細な説明】
【技術分野】
【０００１】
本発明は、互いに異なる温度に応じた表示すべき情報がそれぞれ形成された複数の表示面を、温度に応じて表示位置に選択的に位置させることによって、温度に応じた情報の選択的な表示を行うのに好適な温度応動表示装置に係り、特に、夜間や雨天時などの視野環境の悪い場合においても好適な温度応動表示装置に関する。
【背景技術】
【０００２】
この種の温度応動表示装置として、本出願人は、既に特許文献１に示すような凍結表示用標識装置を提案している。
【０００３】
具体的には、特許文献１の図３および図４に示すように、ハウジング内において「走行」の文字が記された第１の再起反射面と「凍結」の文字が記された第２の再起反射面と、「熱中」の文字が記された第３の再帰反射面とを回動変位させて所定の表示位置に選択的に位置させる回動表示手段と、この回動表示手段に回動のための駆動力を付与する温度応動駆動機構とを備えた温度応動表示装置について特許出願を行っている。また、第１の再起反射面、第２の再起反射面および第３の再帰反射面は正三角筒状を呈するように配設されており、回動表示手段の略１２０°の回動を以て表示位置において切り替え表示されるようなっている。
【０００４】
また、温度応動駆動機構には、形状記憶合金が用いられており、外気温の温度変化に応じて駆動して回動表示手段を回動変化させて、略凍結温度になると、第１の再起反射面に記された「凍結」を表示することができ、略凍結温度よりも高温の温度設定を超えると、第２の再起反射面に記された「走行」を表示し、熱中症が発生する温度を超えると、第３の再帰反射面に記された「熱中」を表示することができる。
【０００５】
さらに、特許文献１における当該温度駆動機構の駆動は、外部電源に頼ることなく外気温の変化に応じた形状記憶合金の弾性力のみで動くようにされており、外部電源を用いることなく道路表面の凍結や熱中症への注意喚起をドライバ或いは道路管理者などに報知可能であることが記載されている。
【先行技術文献】
【特許文献】
【０００６】
【特許文献１】特開２０１２−２３７８９０号公報
【発明の概要】
【発明が解決しようとする課題】
【０００７】
ここで、現状の温度応動表示装置においては、表示面は再帰反射材によって形成されており、走行する車両のライトなどの光を再帰反射させることによって、夜間でも表示面に表示している情報の視認を可能としている。
【０００８】
ところが、夜間や雨天時などの視野条件が悪い場合には、まず、当該温度応動表示装置が設置されていることをドライバに認識させることが難しく、存在に気づかずに通過してしまう場合もある。また、その存在に気づいたとしても、雨水の水滴による乱反射などによって、表示面からの再帰反射が不十分となり、表示面に表示している情報を視認することが困難となるなどの問題点を有している。
【０００９】
そこで本発明は、上記の問題点を解決するべく、夜間や雨天時などの視野条件が悪い場合においても、表示面の視認性に優れた温度応動表示装置を提供することを目的とする。
【課題を解決するための手段】
【００１０】
上記の目的を達成するべく、本発明の第１の態様の温度応動表示装置は、複数の表示を切り替え表示自在な切り替え表示手段と、形状記憶合金をもって前記切り替え表示手段に対して切り替え駆動力を付与する温度応動駆動機構とを有する温度応動表示装置において、前記複数の表示が切り替わったことを検出する切り替わり検出手段と、前記複数の表示を照らす照明手段と、前記切り替わり検出手段からの情報に応じて前記照明手段を点灯／消灯するように制御する制御手段とを備え、前記切り替わり検出手段によって、前記切り替え表示手段が所定の表示に切り替わったことを検出すると、前記照明手段を点灯するように制御することを特徴とする。
【００１１】
このような、本発明の第１の態様の温度応動表示装置においては、所定の表示に対して照明を当てるようにされており、夜間や雨天時などの視野条件が悪い場合においても、表示面の視認性を確保することができ、重要な注意喚起を行うことを可能とする。
【００１２】
本発明の第２の態様の温度応動表示装置は、設置場所の照度を検出する照度検出手段を備え、所定の表示とされている状態において、前記設置場所の照度に応じて、前記制御手段によって前記照明手段の照明を消灯または点灯するように制御することを特徴とする。
【００１３】
このような、本発明の第２の態様の温度応動表示装置においては、設置場所の照度に応じて照明手段を消灯または点灯するようにしているので、夜間や雨天時などの視野条件が悪い場合には点灯して視認性を確保し、昼間や街灯が設置されて視野条件が良好が場合には消灯して省電力化を図ることを可能とする。
【００１４】
本発明の第３の態様の温度応動表示装置は、太陽光発電式および／または風力発電式の蓄電池からなる電源を備えていることを特徴とする。
【００１５】
このような、本発明の第３の態様の温度応動表示装置においては、太陽光発電式および／または風力発電式の蓄電池を用いることにより、当該温度応動表示装置を独立して設置することを可能とする。
【発明の効果】
【００１６】
本発明の温度応動表示装置によれば、夜間や雨天時などの視野条件が悪い場合においても、表示面の視認性に優れた温度応動表示装置を提供することを可能とする。
【図面の簡単な説明】
【００１７】
【図１】本発明の温度応動表示装置の実施形態を示すブロック図
【図２】本発明の温度応動表示装置の実施形態の具体例を示す前方斜視図
【図３】図２の道路用標識装置の実施形態を示す概略分解斜視図
【図４】（ａ）から（ｃ）は図１の温度応動表示装置の表示パターンを示す正面図
【図５】図３の切り替え表示手段および温度応動駆動機構の要部分解斜視図
【図６】（ａ）から（ｃ）は温度応動駆動機構の動作状態を示す平面図
【図７】第１形状記憶引張コイルバネ１１２ａ，１１２ｂおよび第２形状記憶引張コイルバネ１２２ａ，１２２ｂの変態点を示すグラフ
【図８】本実施形態における温度応動表示装置の制御方法を示すフローチャート
【図９】照度検出手段を備える場合の制御方法を示すフローチャート
【発明を実施するための形態】
【００１８】
以下、本発明の実施の形態を図１から図９を用いて説明する。なお、図中、同一符号および記号は各実施の形態の構成部分と同一または相当する構成部分を示すものであり、特に、複数同一構成の部品を使用していることを示す末尾Ａ，Ｂ，Ｃ，Ｄの記号と、そのＡ，Ｂ，Ｃ，Ｄの記号を付していないものは、基本的に共通する構成部分である。
【００１９】
本発明の温度応動表示装置１は、図１に示すように、複数の表示を切り替え表示自在な切り替え表示手段２と、形状記憶合金をもって切り替え表示手段２に対して切り替え駆動力を付与する温度応動駆動機構１００とを有し、複数の表示が切り替わったことを検出する切り替わり検出手段３と、複数の表示を照らす照明手段４と、切り替わり検出手段３からの情報に応じて照明手段４を点灯／消灯するように制御する制御手段５とを備えている。制御手段５は、切り替わり検出手段３によって、切り替え表示手段２が所定の表示に切り替わったことを検出すると、照明手段４を点灯するように制御を行うようにされている。
【００２０】
また、本発明の温度応動表示装置１は、設置場所の照度を検出するための照度検出手段６を備えている。照度検出手段６によって検出された明るさが所定の値以上の場合には、制御手段５を介して照明手段４を消灯し、検出された明るさが所定の値以下の場合には、照明手段４を点灯するように制御するようにされている。
【００２１】
またさらに、本発明の温度応動表示装置１は、太陽光発電機７および／または風力発電機８および蓄電池９を有する電源１０を備えている。太陽光発電機７および／または風力発電機８によって発電された電気は、蓄電池９に蓄電するようにされており、当該蓄電池９によって照明手段４や制御手段５等に対して電力を供給するようにされている。
【００２２】
このような、本発明の温度応動表示装置１とすることにより、夜間や雨天時などの視野条件が悪い場合においても、所定の表示において、例えば、「凍結注意」等の注意喚起が必要不可欠な表示について、表示面を照明手段４によって明るくして、視認性に優れた温度応動表示装置１を提供することを可能とする。
【００２３】
図２は本発明の実施形態における具体例を示し、白色の支柱Ｌに対して、太陽光発電機７、風力発電機８、照明手段６、上側の道路用標識装置３０Ｕと下側の道路用標識装置３０Ｄとによって形成されている２つの道路用標識装置３０（３０Ｕ，３０Ｄ）および『注意』の文字を示した表示板１４が上から順に鉛直方向に取り付けられている。
【００２４】
２つの道路用標識装置３０（３０Ｕ，３０Ｄ）には、各４つずつの切り替え表示手段２（２Ａ，２Ｂ，２Ｃ，２Ｄ）が設けられている。なお、切り替え表示手段２の数は４つに限定されるものではないが、各切り替え表示手段２の接触抵抗を比較的小さく抑え、機械的強度を強く構成するためには２〜５個程度とすることが好ましい。
【００２５】
道路用標識装置３０は、図３に拡大示すように、不透明な合成樹脂材料あるいは金属板、鋳型などで箱状に形成されたハウジング３１の内部に切り替え表示手段２が収納された構成とされており、公知の取付手段によって支柱Ｌに取り付けられている。なお、本実施の形態においては、ハウジング３１は、アルミニウムの鋳型として形成したものを用いて説明する。
【００２６】
ハウジング３１は、図３に示すように、透明アクリル板または透明ガラス板からなる透明部材３２が配置される表側の開口部３３が形成されたケース本体３１ａおよび後述するケース本体３１ａの裏側に取り付けられる裏蓋３１ｂから構成されている。因みに、ハウジング３１の前半分もしくは全体を透明部材３２で形成して切り替え表示手段２を視認可能とするようにしてもよい。
【００２７】
ハウジング３１の内部には、図３および図５に示すように、上側取付部材３４に支持された４つの切り替え表示手段２（２Ａ，２，２Ｃ，２Ｄ）と、切り替え表示手段２の下方に備えられ切り替え表示手段２の表示を切り替える温度応動駆動機構１００と、切り替え表示手段２の近傍に設けられ表示面の表示が切り替わったことを検出する切り替わり検出手段３（３ａ）とが備えられている。
【００２８】
切り替え表示手段２は、図５に示すように、正三角筒状とされ、上端部材２０ａの側面上端から下端部材２０ｂの側面の下端に亘るようにして両部材の側面に接合された３つの側壁２１ａ〜２１ｃが設けられている。上端部材２０ａの中央には略円筒形状の上端軸２２ａが鉛直上方に向かって立設され、下端部材２０ｂの中央には上端軸２２ａと同軸上の下端軸２２ｂが鉛直下方に向かって垂設され、上端軸２２ａおよび下端軸２２ｂとによって切り替え表示手段２の回動軸２２を構成するようにされている。そして、切り替え表示手段２は、上端軸２２ａが上側取付部材３４に設けられた４つの貫通孔３４ａにそれぞれ挿入され、下端軸２２ｂが第１下側取付部材３５に設けられた４つの貫通孔３５ａにそれぞれ挿入されるとともに、第１下側取付部材３５の鉛直下方に配設された第２下側取付部材３６に設けられた円柱状の突起３６ａにそれぞれ嵌め込まれることによって、上側取付部材３４と第２下側取付部材３６との間において各回動軸２２を回転中心として回動可能とされている。
【００２９】
また、切り替え表示手段２（２Ａ〜２Ｄ）の各下端軸２２ｂにおける下端側の所定範囲の部位には、図５に示すように、後述する温度応動駆動機構１００のラック３１，３３と噛合するピニオンＰがそれぞれ周設されている。
【００３０】
切り替え表示手段２の側壁２１ａ〜２１ｃの外表面には、再帰反射材を混入した合成樹脂シートが接着されており、これによって、再帰反射面からなる標識面２３が形成されている。外表面に形成された標識面２３は、図４に示すように、４本の切り替え表示手段２の側壁２１ａ〜２１ｃの位相を合わせることにより凍結注意標識機能を有する凍結注意標識面２３ａ、走行注意標識機能を有する走行注意標識面２３ｂおよび熱中症注意標識機能を有する熱中注意標識面２３ｃを表示するように形成されており、ケース本体３１ａの開口部３３から視認できるようにされている。また、標識面２３は、切り替え表示手段２が回動軸２２を中心として回動することにより、凍結注意標識面２３ａ、走行注意標識面２３ｂおよび熱中注意標識面２３ｃの表示を切り替え自在とされている。
【００３１】
また、切り替え表示手段２の近傍に設けられた切り替わり検出手段３としては、図３および図５に示すように、例えば、電磁式回転検出器３ａを用いることができ、切り替え表示手段２の下端軸２２ｂに設けられたピニオンＰに近接させて配置することにより、ピニオンＰの回転を検出して、切り替え表示手段２の表示面の表示が切り替わったことを検出するようにされている。なお、本実施形態においては、切り替わり検出手段３が電磁式回転検出器３ａからなる構成とした形態を用いて説明を行うが、この形態に限定されるものではなく、公知の切り替わりを検出可能な構成もしくは装置を用いてもよい。このような電磁式回転検出器３ａは、検出範囲におけるピニオンＰの回転速度および通過した歯の数に応じた周波数の出力信号を出力することができ、本実施形態においては、図５に示すように、破線で示した制御手段５に対して当該出力信号を入力可能に接続されている。
【００３２】
道路用標識装置３０の上方に配設された照明手段４としては、公知の照明装置を用いることが可能であり、例えば、図２に示すように、支柱Ｌに対して支持部材を介して光源４ａを前方へ突出配置することにより、道路用標識装置３０（３０Ｕ，３０Ｄ）のハウジング３１の各開口部３３を照らすようにされている。この他にも、各ハウジング３１内の開口部３３の周辺に光源を配置する形態としたり、切り替え表示手段２の標識面２３を透光性のある素材から形成し、標識面２３からなる筒内部に光源を配置する形態とするなど種々の変更が可能であり、特にその形態を限定するものではない。このような、照明手段４は、制御手段５によって点灯／消灯の切り換え制御を行うようにされている。
【００３３】
図２に示すように、太陽光発電機７は、上面に複数の太陽電池素子からなる太陽光発電パネル７ａが所定枚数並べて接続された受光面７ｂを備え、水平もしくは太陽に向かって所定の角度で支柱Ｌの頂点に配設されている。太陽電池素子は、単結晶シリコン型、多結晶シリコン型およびアモルファスシリコン型などのシリコン系、ＣＩＧＳ型などの化合物系および有機半導体型、色素増感型などの有機系から任意に選択して用いることができる。なお、受光面７ｂの形状は、角形に限定されるものではなく、丸形や楕円形など種々の変更が可能である。
【００３４】
また、図２に示すように、風力発電機８は、支柱Ｌに固定された枠体８ａに４つの風力発電用風車８ｂが一列に配置されている。本実施形態においては、風力発電用風車８ｂは、回転軸が垂直に配設されたサボニウス型の翼部を有する垂直軸型風車としており、翼部が風力によって回転することによって発電するようにされている。なお、翼部は、サボニウス型に限定するものではなく、ダリウス型、ジャイロミル型、直線翼型、パドル型、クロスフロー型およびＳ型ローター型などへの変更が可能である。また、風力発電用風車８ｂは、垂直軸型風車以外にも翼部の回転軸が水平に配設された水平軸型風車としてもよく、例えば、翼部がプロペラ型、多翼型、オランダ型、セイルウィング型などの風車を採用することができる。
【００３５】
さらに、風力発電用風車８ｂの翼部に対しては、外表面に再帰反射材を混入した合成樹脂シートを接着する、もしくは、翼部自体を再帰反射材で形成することによって、視認性を向上させて、温度応動標識装置１のドライバー等へのアピール力を向上させることができる。
【００３６】
さらに、温度応動表示装置１には、図１および図２に示すように、太陽光発電機７および風力発電機８によって発電された電気を蓄電するための蓄電池９が備えられており、発電された電気を貯めて照明手段４および制御手段５などを動作させるための電源１０として用いるようにされている。
【００３７】
また、本実施形態の温度応動表示装置１には、図２に示すように、照明手段４の上方外面に照度検出手段６としての照度センサ６ａが備えられ、検出した照度情報を制御手段５に入力可能に接続されている。照度センサ６ａとしては、フォト・ダイオードなどの照度を測定可能な公知の装置を用いることができる。
【００３８】
ここで、温度応動駆動機構１００の構成および当該温度応動駆動機構１００における切り替え表示手段２の駆動方法について図５から図７を用いて説明する。
【００３９】
温度応動駆動機構１００は、図５に詳示するように、第１下側取付部材３５に設けられた第１駆動機構１１０と、第２下側取付部材３６に設けられた第２駆動機構１２０とからなり、更に図６に示すように、それぞれ、４つの切り替え表示手段（２Ａ〜２Ｄ）の整列方向（図６の左右方向）に沿って長尺に形成された第１移動部材１１１および第２移動部材１２１と、形状記憶合金からなる２つの第１形状記憶引張コイルばね１１２ａ，１１２ｂおよび第２形状記憶引張コイルばね１２２ａ，１２２ｂと、温度による変形（線膨張）が極めて小さい２つの第１通常引張コイルばね１１３ａ，１１３ｂおよび第２通常引張コイルばね１２３ａ，１２３ｂとを備えている。
【００４０】
第１移動部材１１１および第２移動部材１２１には、その長手方向に長尺な長孔状の４つの第１案内孔１１１ａおよび第２案内孔１２１ａがそれぞれ形成されており、各案内孔１１１ａ，１２１ａの内周面には、切り替え表示手段２（２Ａ〜２Ｄ）の下端軸２２ｂに設けられたピニオンＰに噛合可能な第１ラック１１１ｂおよび第２ラック１２１ｂが長手方向に沿ってそれぞれ形成されている。さらに、各案内孔１１１ａ，１２１ａには、各ラック１１１ｂ，１２１ｂとピニオンＰとの噛合状態を解除するための第１平坦部１１１ｃおよび第２平坦部１２１ｃが各ラック１１１ｂ，１２１ｂに連設されている。
【００４１】
また、第１形状記憶引張コイルばね１１２ａ，１１２ｂおよび第２形状記憶引張コイルばね１２２ａ，１２２ｂは、用いる形状記憶合金の温度ヒステリシスによって決まる温度、すなわち変態点Ｔに達した場合に、マルテンサイト変態を示して記憶された形状に回復するように形成されている。本実施形態においては、図７に示すように、第１形状記憶引張コイルばね１１２ａ，１１２ｂは、使用環境温度が略氷点温度付近の第２の温度Ｔ２（例えば、０〜３℃の範囲内の所定温度）以下の温度から温度ヒステリシスによって決まる第１の温度Ｔ１（例えば、第２の温度Ｔ２から２〜５℃上昇した温度）に達した場合に記憶された形状、本実施形態においては縮んだ形状に回復するようにされている。第２形状記憶引張コイルばね１２２ａ，１２２ｂは、使用環境温度が常温温度付近の第４の温度Ｔ４（例えば、２４℃）以下の温度から温度ヒステリシスによって決まる温度であり、外気として高温と見なされ始める第３の温度Ｔ３（例えば、３１℃）に達する温度上昇が生じた場合に縮んだ形状に回復するようにされている。
【００４２】
なお、第１形状記憶引張コイルばね１１２ａ，１１２ｂおよび第２形状記憶引張コイルバネ１２２ａ，１２２ｂは、記憶された形状、すなわち、縮んだ形状へと回復することによって、第１通常引張コイルばね１１３ａ，１１３ｂおよび第２通常引張コイルばね１２３ａ，１２３ｂの付勢力に抗する弾性力を発現するように設定されている。そして、第１移動部材１１１および／または第２移動部材１２１は、第１形状記憶引張コイルばね１１２ａ，１１２ｂおよび／または第２形状記憶引張コイルバネ１２２ａ，１２２ｂが弾性力（形状記憶効果）を失っている状態においては、第１通常引張コイルばね１１３ａ，１１３ｂおよび／または第２通常引張コイルばね１２３ａ，１２３ｂの付勢力の方向（図６における左方向）に付勢される。一方、第１形状記憶引張コイルばね１１２ａ，１１２ｂおよび／または第２形状記憶引張コイルバネ１２２ａ，１２２ｂが縮んだ形状に回復して前記付勢力に抗する弾性力を発現すると、前記付勢力と正反対の方向（図６における右方向）にスライドするようにされている。
【００４３】
切り替え表示手段２は、第１移動部材１１１および／または第２移動部材１２１の長さ方向へのスライドによって直線移動する第１ラック１１１ｂおよび／または第２ラック１２１ｂと、下端軸２２ｂに設けられたピニオンＰが噛合することによって回動可能に形成されている。
【００４４】
このような、切り替え表示手段２は、使用環境温度が平常な温度の場合、本実施形態においては、図７に示す第１の温度Ｔ１から第４の温度Ｔ４の間の所定温度とされている時には、図６（ｂ）に示すように、第１形状記憶引張コイルばね１１２ａ，１１２ｂが縮んだ形状となって、第１通常引張コイルばね１１３ａ，１１３ｂの付勢力に抗する弾性力を発現することにより、第１移動部材１１１のみを前記付勢力と反対の方向（図６における右方向）に付勢した状態とするとともに、第２移動部材１２１を第２通常引張コイルばね１２３ａ，１２３ｂの付勢力の方向（図６における左方向）に付勢した状態として、切り替え表示手段２（２Ａ〜２Ｄ）を所定位置に保持するようにしている。この時、切り替え表示手段２（２Ａ〜２Ｄ）の標識面２には、走行注意標識面２３ｂ（図４（ｂ）参照）が表示されている。この時、下端軸２２ｂに設けられたピニオンＰは両移動部材１１１，１２１の両案内孔１１１ａ，１２１ａの両平坦部１１１ｃ，１２１ｃの位置にあり、両ラック１１１ｂ，１２１ｂとは噛合していない回転フリーな状態に保持されている。
【００４５】
そして、使用環境温度が下降し、例えば、第１の温度Ｔ１から路面が凍結するような略氷点温度付近の温度である第２の温度Ｔ２に達する温度とされると、図６（ａ）に示すように、第１形状記憶引張コイルばね１１２ａ，１１２ｂは弾性力（形状記憶効果）を失う。これにより、第１移動部材１１１のみが、第１通常引張コイルばね１１３ａ，１１３ｂの付勢力によってその付勢力の方向（図６における左方向）にスライドされるのに伴って、第１ラック１１１ｂによりピニオンＰを前記付勢力の方向に１２０°回動（図６における左回転）させて切り替え表示手段２の標識面２３を走行注意標識面２３ｂから凍結注意標識面２３ａ（図４（ａ）参照）に切り替え表示させる。この時、下端軸２２ｂに設けられたピニオンＰは第２移動部材１２１の第２案内孔１２１ａの第２平坦部１２１ｃの位置にあり、第２ラック１２１ｂとは噛合していないので、第２移動部材１２１は移動しない。
【００４６】
また、使用環境温度が上昇し、例えば、第４の温度Ｔ４から外気として高温で熱中症を生じさせるような温度である第３の温度Ｔ３に達する温度とされると、図６（ｃ）に示すように、図６（ｂ）に示す状態から、第２形状記憶引張コイルばね１２２ａ，１２２ｂがマルテンサイト変態を示して縮んだ形状へと回復し、第２通常引張コイルばね１２３ａ，１２３ｂの付勢力に抗する弾性力を発現する。これにより、第２移動部材１２１のみが、第２形状記憶引張コイルばね１２２ａ，１２２ｂの弾性力によって、前記付勢力とは反対の方向（図６における右方向）にスライドされるのに伴って、第２ラック１２１ｂによってピニオンＰを前記付勢力とは反対の方向に１２０°回動（図６における右回転）させて切り替え表示手段２の標識面２３を走行注意標識面２３ｂから熱中注意標識面２３ｃ（図４（ｃ）参照）に切り替え表示させる。この時、下端軸２２ｂに設けられたピニオンＰは第１移動部材１１１の第１案内孔１１１ａの第１平坦部１１１ｃの位置にあり、第１ラック１１１ｂとは噛合していないので、第１移動部材１１１は移動しない。
【００４７】
このような、本実施形態の温度応動表示装置１においては、切り替え表示手段２うち少なくとも１つの下端軸２２ｂのピニオンＰの近傍に設けられた電磁式回転検出器３ａによってピニオンＰの回転を検出するようにされており、得られた回転情報を制御手段５に入力することによって、当該回転情報に基づいて、照明手段４の点灯／消灯を行うようにされている。この照明手段４の点灯／消灯の制御方法について図８および図９を用いて以下に説明する。
【００４８】
まず、本発明の温度応動表示装置１の本実施形態における制御方法は、図８に示すように、制御手段５に対して、電磁式回転検出器３ａからピニオンＰの回転情報が入力されると（Ｓ１０）、制御手段５によって照明手段４の光源の点灯／消灯のいずれを実行すべきかの検出が行われる（Ｓ１１）。
【００４９】
そして、制御手段５によって、ピニオンＰの回転情報が温度が第１の温度Ｔ１から第２の温度Ｔ２への変化もしくは第４の温度Ｔ４から第３の温度Ｔ３への変化を示していると判断された場合には、標識面２３が走行注意標識面２３ｂから凍結注意標識面２３ａもしくは熱中注意標識面２３ｃに切り替え表示されたと判断して、照明手段４の光源を点灯させる（Ｓｏｎ）。これに対して、ピニオンＰの回転情報が温度が第２の温度Ｔ２から第１の温度Ｔ１への変化もしくは第３の温度Ｔ３から第４の温度Ｔ４への変化を示していると判断された場合には、標識面２３が凍結注意標識面２３ａもしくは熱中注意標識面２３ｃから走行注意標識面２３ｂに切り替え表示されたと判断して、照明手段４の光源を消灯させる（Ｓｏｆｆ）。つまり、凍結注意標識面２３ａおよび熱中注意標識面２３ｃがハウジング３１の開口部３３に位置している時に、照明手段４を点灯させて、特に注意喚起が必要な標識面２３について、夜間や雨天時などの視野条件が悪い場合においても優れた視認性を確保するようにされる。
【００５０】
また、温度応動表示装置１に照度センサ６ａが備えられている場合における制御方法は、図９に示すように、制御手段５に対して、電磁式回転検出器３ａからピニオンＰの回転情報が入力されると（Ｓ２０）、制御手段５によって照明手段４の光源の点灯／消灯のいずれを実行すべきかの検出および照度センサ６ａによる照度情報の取得が行われる（Ｓ２１）。
【００５１】
そして、制御手段５によって、照明手段４の消灯を実行すべき判断がなされ、かつ、照度情報が所定の照度よりも大きいと判断された場合（Ｓ２１）には、標識面２３が凍結注意標識面２３ａもしくは熱中注意標識面２３ｃから走行注意標識面２３ｂに切り替え表示されたとともに、設置環境が明るいと判断して、照明手段４の光源を消灯させる（Ｓｏｆｆ）。照明手段４および照度情報がこれ以外の場合であると判断された場合には、標識面２３が走行注意標識面２３ｂから凍結注意標識面２３ａもしくは熱中注意標識面２３ｃに切り替え表示されたもしくは、温度応動表示装置１の設置環境が暗いと判断して、照明手段４の光源を点灯させる（Ｓｏｎ）。この時、照度センサ６ａにおける照度情報の取得は、照明手段４の消灯時において定期的に行うようにしてもよい。
【００５２】
このような、本実施形態の温度応動表示装置１とすることにより、夜間や雨天時などの視野条件が悪い場合においても、標識面２３が表示される開口部３３を照明手段４によって照らすようにして、ドライバーなどに対して特に注意喚起が必要とされる凍結注意標識面２３ａおよび熱中注意標識面２３ｃにおける表示面２３を明るく照明することにより優れた視認性を確保することができる。さらに、照度センサ６ａを設けて、標識面２３を視認可能とするための十分な照度が得られない場合に照明手段４を点灯するようにすることにより、走行注意標識面２３ｂについても、視認性を確保可能とするとともに、凍結注意標識面２３ａおよび熱中注意標識面２３ｃを表示中において、標識面２３に十分な照度を得られる場合には、照明手段４を消灯することにより、節電を図ることができる。
【００５３】
本発明の温度応動表示装置１は、本実施形態に限定されるものではなく、発明の特徴を損なわない範囲において種々の変更が可能であり、例えば、切り替わり検出手段３が、第１移動部材１１１および第２移動部材１２１に形成した突起部と、スイッチ手段とからなり、第１移動部材１１１および第２移動部材１２１のスライドに連動して当該突起部がスイッチ手段をＯＮまたはＯＦＦすることによって切り替え表示手段２が切り替わったことを検出するようにしてもよい。
【符号の説明】
【００５４】
１  温度応動表示装置
２  切り替え表示手段
３  切り替わり検出手段
４  照明手段
５  制御手段
６  照度検出手段
７  太陽光発電機
８  風力発電機
９  蓄電池
１０  電源
１００  温度応動駆動機構
【図１】
2014153508.tif 000003
【図２】
2014153508.tif 000004
【図３】
2014153508.tif 000005
【図４】
2014153508.tif 000006
【図５】
2014153508.tif 000007
【図６】
2014153508.tif 000008
【図７】
2014153508.tif 000009
【図８】
2014153508.tif 000010
【図９】
2014153508.tif 000011